(57)【要約】【課題】シンギングバルーンを提供することを目的とする。【解決手段】シンギングバルーンであって、バルーン本体と、バルーンホルダー本体と、振動ユニットと、音源、及び、イネーブルユニットとを含む。バルーン本体をバルーンホルダー本体の収容空間に収容し、並びに、該バルーン本体と該振動ユニットを密着すると、音源、及び、イネーブルユニットに保存している音楽を再生する効果を果たす。バルーンホルダー本体にある押付部はバルーン本体の表面と該振動部との密着を確保する機能を更に備え、音楽を更に安定的に再生させることができる。【選択図】図８
2011177505.tif 000002
【特許請求の範囲】
【請求項１】
シンギングバルーンであって、
一層の薄膜を備える中空バルーン本体と、
バルーンホルダー装置と、を含み
前記バルーンホルダー装置には、
振動部と、前記振動部と共同で前記中空バルーン本体を収容する収容空間を形成すると共に前記収容されるバルーン本体を前記振動部に当接する押付部とを備える前記バルーン本体を固定するために用いられるバルーンホルダー本体と、
前記バルーン本体に貼付する振動子を備え、且つ、前記バルーンホルダー本体の振動部の前記収容空間に向かう側に嵌設される振動ユニットと、
前記振動ユニットに電気的に接続し、給電、並びに、駆動する音源、及び、イネーブルユニットと、
を含むことを特徴とするシンギングバルーン。
【請求項２】
前記音源、及び、イネーブルユニットには、電池１個を備えることを特徴とする請求項１に記載のシンギングバルーン。
【請求項３】
前記音源、及び、イネーブルユニットには超小型発電機１個を備えることを特徴とする請求項１に記載のシンギングバルーン。
【請求項４】
前記超小型発電機には、
前記バルーン本体に相対して固定する固定子コイルと、
前記固定子コイルに相対して枢軸に沿って回転できる永久磁石回転子と、
前記永久磁石回転子を前記枢軸に沿って回転するよう駆動することに用いる引張り紐と、
前記引張り紐を巻き取って所定位置復帰させることに用いる弾性材と、
を備えることを特徴とする請求項３に記載のシンギングバルーン。
【請求項５】
前記音源、及び、イネーブルユニットには、音楽データを保存するために用いるメモリーと、前記メモリー内の音楽データを読み取ると共に出力して前記振動ユニットの振動を駆動するマイクロプロセッサとを、備えることを特徴とする請求項１に記載のシンギングバルーン。
【請求項６】
前記音源、及び、イネーブルユニットには、外部音楽データを受信して前記メモリーに保存するために供するユニバーサル・シリアル・バス（ＵＳＢ）コネクタを更に含むことを特徴とする請求項５に記載のシンギングバルーン。
【請求項７】
前記振動ユニットには、圧電素子を更に含むことを特徴とする請求項１に記載のシンギングバルーン。
【請求項８】
一層の薄膜を備える中空バルーン本体を固定するために供するシンギングバルーン用バルーンホルダー装置であって、前記バルーンホルダー装置には、
振動部と、前記振動部と共同で１個のバルーン本体を収容する収容空間を形成すると共に前記収容されるバルーン本体を前記振動部に当接する押付部とを備える前記バルーン本体を固定するために用いられるバルーンホルダー本体と、
前記バルーン本体に貼付する振動子を備え、且つ、前記バルーンホルダー本体の振動部の前記収容空間に向かう側に嵌設される振動ユニットと、
前記振動ユニットに電気的に接続し、給電、並びに、駆動する音源、及び、イネーブルユニットと、
を含むことを特徴とするシンギングバルーン用バルーンホルダー装置。
【請求項９】
前記音源、及び、イネーブルユニットには、電池１個を備えることを特徴とする請求項８に記載のシンギングバルーン用バルーンホルダー装置。
【請求項１０】
前記音源、及び、イネーブルユニットには超小型発電機１個を備え、且つ、前記超小型発電機には、
前記バルーン本体に相対して固定する固定子コイルと、
前記固定子コイルに相対して枢軸に沿って回転できる永久磁石回転子と、
前記永久磁石回転子を前記枢軸に沿って回転するよう駆動することに用いる引張り紐と、
前記引張り紐を巻き取って所定位置復帰させることに用いる弾性材と、
を備えることを特徴とする請求項８に記載のシンギングバルーン用バルーンホルダー装置。
【請求項１１】
前記バルーンホルダー本体は、前記収容空間から離れる方向に延出する支持棒固定部を更に含むことを特徴とする請求項８に記載のバルーンホルダー装置。
【請求項１２】
前記バルーンホルダー本体は、凹んだバルーン空気穴固定部を更に形成することを特徴とする請求項８に記載のバルーンホルダー装置。
【請求項１３】
前記バルーンホルダー本体は、前記振動部と前記押付部に介在し、前記振動部と前記押付部とを連結するために供する一組のばねである可撓性復帰部と、前記振動部と前記押付部がそれぞれ前記振動部と前記押付部を相互に離れる押圧部とを更に備えることを特徴とする請求項８に記載のバルーンホルダー装置。
【発明の詳細な説明】
【技術分野】
【０００１】
本発明は、シンギングバルーンに関し、特に、振動方法によりバルーンが音楽を出させるシンギングバルーンに関する。
【背景技術】
【０００２】
多くの行楽シーン或いは製品の販売イベントにおいて、バルーンを配布する方法で楽しい雰囲気又は製品宣伝の目的をかもし出すことがよく見られる。雰囲気の盛り上げ又は宣伝効果を得るため、業者は更にバルーンを面白く可愛い外観にデザインし、若しくはバルーンをねじったり、曲げたりすることで特殊な形を作り上げ、市場にも新しいものを登場し、百花繚乱・多種多様なバルーンが作り出されている。
【０００３】
その他、子供が持ちやすく、またバルーンが飛び去ることで他人に迷惑することを避けるため、図１に示すように、多くの業者はバルーン本体１を従来のバルーンマウントホルダー２に固定してから該従来のバルーンマウントホルダー２の底部に従来の支持棒固定部２０を形成して支持棒２１を挿接する方法により該バルーン本体１を持たせていた。この種の従来のバルーンマウントホルダー２に従来のバルーン空気穴固定部２２として１個の凹みの切り欠きがあり、バルーン本体１に空気を充填して膨らませた後、バルーン空気穴部分に結び、またバルーン空気穴に近接する位置を従来のバルーン空気穴固定部２２箇所に係止するとバルーン本体を固定する作用を果たすことができる。
【０００４】
しかしながら、上記従来のバルーン本体及びバルーンマウントホルダーのデザインは見かけ上、変化に限りがあり、造形、色、模様或いは図案等のみが変化してきた。表面で発揮できる創造又は生じる娯楽上の働きには限度があり、このため人間の感覚に対する刺激も比較的弱い。且つ、バルーン本体内の気体が徐々に萎んできた時、実際的な機能が減っていないマウントホルダー及び支持棒も萎んだバルーン本体と一緒に通常的に捨てられるため、浪費と環境汚染が起きる。
【０００５】
このため、バルーン本体に音声効果を兼ね備えさせ、且つバルーン本体と振動ユニットの間との接触安定性が確保され、音声効果を継続して安定させることができると、更に様々なシーン及びニーズに合わせたアナウンス効果を提供してバルーン本体に更に実用性と機能性を持たせることになる。一方、異なる音源設計を介しても音楽内容の変更を選択でき、こうすることでバルーン本体は既存の形状にとどまらず、更に携帯型スピーカボックスになることができる。且つ、バルーン本体のゴムが劣化して萎んだとしても、バルーン本体だけを交換するが、バルーンマウントホルダーを引き続き保管することで、不必要なゴミの量も減らしてエコの要求を満たすことができる。またバルーン本体も更に通りかかった人々の注目を惹きつけるため、所有者も引き続き持っていようとする意欲が広がり、感覚的刺激が新しく加わる或いは娯楽機能を提供できることで、より一層幅広い消費市場需要を掘り起こすことができるに違いない。
【発明の概要】
【発明が解決しようとする課題】
【０００６】
本発明の目的は、振動ユニットをバルーン本体の表面に組み合わせ、また振動ユニットの振動を通じてバルーン本体の表面に共振が起きて音が出るシンギングバルーンを提供することである。
【０００７】
本発明の目的は、各種イベント会場に合わせたアクセサリーとして提供され、また効果音を再生できるシンギングバルーンを提供することである。
【０００８】
本発明の目的は、音楽内容を変更して、音声装置とすることができるシンギングバルーンを提供することである。
【０００９】
本発明の目的は、手動発電・音声、オルゴールのような効果を有するシンギングバルーンを提供することである。
【００１０】
本発明の別の目的は、バルーン本体が安定して音声がでることを確保できるシンギングバルーン用バルーンホルダー装置を提供することである。
【００１１】
更に、本発明の目的は、安定して音声が出るシンギングバルーンを提供することである。
【課題を解決するための手段】
【００１２】
本発明に基づいて開示するシンギングバルーンには、一層の薄膜を備える中空バルーン本体と、該バルーン本体を固定するために用いられるバルーンホルダー本体と、該バルーン本体に貼付する振動子を備える振動ユニットと、該振動ユニットに電気的に接続し、給電並びに駆動する音源及びイネーブルユニットとを含む。
【００１３】
本発明で開示するバルーンの応用において、バルーンから音声が出るシンギングバルーン用バルーンホルダー装置は、一層の薄膜を備える中空バルーン本体を固定するために用いる。該バルーンホルダー装置には、該バルーン本体を固定するために用いられるバルーンホルダー本体と、該バルーン本体に貼付する振動子を備える振動ユニットと、該振動ユニットに電気的に接続し、給電並びに駆動する音源及びイネーブルユニットとを含む。
【００１４】
上記目的を達成するため、本発明で開示するシンギングバルーンは、まずバルーン本体のバルーン空気穴側から気体を入れて膨らせ、またバルーンホルダーに固設し、並びに振動ユニットの振動子をバルーン本体の表面に貼付する。振動ユニットが音源及びイネーブルユニットの駆動を受けて振動が生じた時、該振動を貼付したバルーン本体の表面に伝達されてバルーン本体が音楽再生の振動膜になり、バルーン本体が振動を受けて音声が出る。シンギングバルーンをイベント会場に設置された時、予めメモリー内に保存していた音楽を再生できる。また更に有線或いは無線の方法により音楽更新データを転送することで、現場アナウンスの放送スピーカとすることができる。振動して音声が出るために要する電源については、一般的によく見られる小型バッテリー以外に超小型発電機も選択できる。つまりこの種のバルーンを手に持った子供たちが引張方法で発電させて電気エネルギーを供給し、その効果として特殊造形で且つ浮揚するオルゴールのようにする。これにより、バルーン本体は音声効果を兼ね備え、また様々なシーンに合わせて異なる音楽或いは効果音を再生でき、各種イベントシーンと需要に応じ、より一層豊富な変化と使用上の柔軟性を提供できるだけではなく、バルーン本体が更に目新しく面白くなる。更に本発明で開示するバルーンホルダー装置は、押付部を利用してバルーン本体を振動部にくるよう当接し、バルーン本体と振動部を密着させる。押付部の付勢力により、振動波の伝達を持続させ、バルーン本体が風当たりによって接触不良が起きないようにすることで、バルーン本体を拡音機とする恒常的な運用を保持させることができる。
【図面の簡単な説明】
【００１５】
【図１】従来技術のバルーンホルダーである。
【図２】複数個のシンギングバルーンからなるバルーンアーチの本発明の第１の好ましい実施例の見取り図である。
【図３】図１のバルーン本体を振動させて効果音が出る振動ユニットの内部構造図である。
【図４】バルーン本体が金属薄膜からなり、且つバルーンホルダー本体と振動ユニットを一体化して設け、且つコンピューターまで接続するため、更に振動ユニットから延伸するＵＳＢコネクタを有する本発明の第２の好ましい実施例の見取り図である。
【図５】振動ユニットの内部が内蔵電池からイネーブルを提供する圧電素子を説明する図４振動ユニットの内部構造図である。
【図６】ヘリウムガス入りバルーンで、且つ手動イネーブルに供する超小型発電機を別途設置する本発明の第３の好ましい実施例の見取り図である。
【図７】図６の超小型発電機内部の構造図である。
【図８】本発明第４の好ましい実施例のバルーンホルダー装置の用途を示す図である。
【図９】バルーン本体の被振動部と押付部が圧縮している見取り図である。
【図１０】本発明の第５の好ましい実施例で、グリッパー構造を有する押付部のあるシンギングバルーン用バルーンホルダー装置を示す図である。
【図１１】図１０の実施例をバルーン本体に組み立てた立体図である。
【図１２】形状を変わって更に視覚作用を持たせる本発明の第６の好ましい実施例の見取り図である。
【発明を実施するための形態】
【００１６】
本発明の上記及びその他の技術的内容、特徴及び効果に関し、下記の参照図面を組み合わせた好ましい実施例の詳細な説明で、明確に理解できる。
【００１７】
図２と図３を参照にしながら説明する。図２と図３に示すように本発明が開示したシンギングバルーンを１つのバルーンアーチ９に設置し、多くのゴム素材のバルーン本体１に空気が充填され、またそれぞれバルーンホルダー本体３０からそのバルーン空気穴を密封し、且つ個別のバルーン本体１をバルーンアーチ９のフレームに固定され、この場合、例えば台座９２箇所に近接する１個のバルーン本体１を選んで筐体内に取り付けた振動ユニット３１と音源及びイネーブルユニット３２を該バルーン本体１の表面に貼付する。説明のため、本実施例においてバルーンホルダー本体３０と、振動ユニット３１と、音源及びイネーブルユニット３２とを併せてバルーンホルダー装置３と呼ぶものとする。音源及びイネーブルユニット３２は、一組の音源端子３２５と１つの外付け電源プラグ３２６とを備えるよう例示する。音源端子３２５を例えば１台のバルーンアーチ台座９２箇所に配置したＭＰ３プレーヤー８に差し込むことで音源駆動信号を提供する。電源プラグ３２６を例えば該バルーンアーチ台座９２付近にある電源コンセント６に差し込む。
【００１８】
本実施例内の振動ユニット３１は一組の筐体３１０内に設置される振動コイル３１１と、一組の永久磁石振動子３１２とを含む。振動子３１２がバルーン本体１の表面に貼付するため、振動ユニット３１が電源プラグ３２６を通じて電源コンセント６からの給電を受電し、また音源端子３２５を通じて音源及びイネーブルユニット３２の音源信号を受信した後、音源信号が振動コイル３１１を磁化し、並びに永久磁石振動子３１２に対して吸引／反発現象が生じた振動が起き、従って貼付されたバルーン本体１を振動させ、バルーン本体１の表面が該音源信号に応答して音声が出る。
【００１９】
これにより、例えば学校創立周年記念祭時校門、或いは結婚式時レッドカーペットのスタート地点に設置されたバルーンアーチ９は、MP３プレーヤー８に保存されている内容通り、対応する音楽或いは効果音を直接再生できる。１個のバルーン本体１が再生できる音量に限度があるという心配の場合、同一MP３プレーヤー８から音源信号を複数組の振動ユニット３１に出力し、それぞれ複数個のバルーン本体１に貼付することで、同時に複数個のバルーンを同期音にして音声が出るよう駆動させると、バルーンアーチ９全体の複数箇所にあるバルーンが同時に同じ音楽を再生し、必要な音量と効果を奏することができる。
【００２０】
勿論当業者が簡単に理解できるように、上記バルーン本体は必ずしもゴム製の弾性バルーンのみに限らず、例えば金属薄膜からなるものもでき、且つ振動ユニット、音源及びイネーブルユニットの形式を問わず、いずれも多くの変化を有することができる。本発明の第２の好ましい実施例は、図４と図５に示すようにバルーン本体１’であり、金属薄膜からなるバルーンを例とし、且つ組立ての便宜のため、本実施例内の振動ユニット３１’とバルーンホルダー本体３０’とが一体化し、バルーン本体１’に空気を充填してバルーンホルダー本体３０’に組み立てた時、振動子を同時にバルーン本体１’に貼付させることができる。且つ本実施例内の振動子は１つの圧電素子３１３’で、印加した信号の電圧変化を介して、圧電素子３１３’結晶格子のサイズを変化させることで振動が生じる。圧電素子３１３’の厚さが極めて小さいため、振動ユニット３１’の全体的な厚さを薄くすることができる。圧電素子３１３’の一側を振動ユニット３１’の筐体３１０’に固定し、他側をバルーン本体１’に貼付及び振動するために用いる。
【００２１】
本実施例内の音源及びイネーブルユニット３２’は扁平型バッテリー３２０’と、メモリー３２２’、マイクロプロセッサ３２３’と、ユニバーサル・シリアル・バス(ＵＳＢ)コネクタ３２４’と、無線信号受信機３２７’とを例とし、利用者はＵＳＢコネクタ３２４’を通じて例えばコンピューター７’内から予め設定した音楽データを取得してメモリー３２２’内に保存できる。再生時、マイクロプロセッサ３２３’の指令により該音楽データを取り出して音源信号を振動ユニット３１’に出力することで圧電素子３１３’の振動を駆動すると共にバルーン本体１’が伴に振動することで音声が出て、利用者は自分の好みで事前に録音した音楽を再生させるためバルーン本体１’が音楽を聴くスピーカになる。
【００２２】
更に、無線信号受信機３２７’を通じて特定信号を受信するトリガー信号とし、マイクロプロセッサ３２３’を活性化させる。よって、例えばサファリパークにおいて観光客がジャングルバスに乗車している時にバルーンを配布でき、且つ各観光スポットに無線発信器を取り付け、ジャングルバスが特定場所に着いた時、バス上の各バルーンが一斉に無線信号のトリガーを受け、事前に録音された解説資料を再生し始める。更に観光客がこの種のバルーンをお化け屋敷に持ち込むと、特定場所において観光客の手にあるバルーンから効果音が出て、境遇を経験する一体感と臨場感を得ることができる。勿論上記ＵＳＢコネクタ３２４’もブルートゥース装置或いは赤外線等の無線伝送装置の選択として代替できる。
【００２３】
図６と図７の本発明の第３の好ましい実施例に示すように、バルーン本体内にヘリウムガスを入れて浮揚させ、音源及びイネーブルユニットも超小型発電機３２１’’を採用してイネーブルでき、且つそのケースと振動ユニット３１’’のケースと、バルーンホルダー本体３０’’とが一体化する。本実施例内の超小型発電機３２１’’には、バルーンホルダー本体３０’’に相対して固定する固定子コイル３２１０’’と、該固定子コイル３２１０’’に相対して１つの枢軸に沿って回転できる永久磁石回転子３２１１’’と、該永久磁石回転子３２１１’’を該枢軸に沿って回転するよう駆動することに用いる引張り紐３２１２’’と、該引張り紐３２１２’’を巻き取って所定位置復帰させることに用いる弾性材３２１３’’とを含む。
【００２４】
特に、バルーン構造を簡素化するため、引張り紐３２１２’’自体もバルーンの縛り紐とする。バルーンを持った人が音楽を聴きたい時、片手でバルーンホルダー本体３０’’を握り、他の手で縛り紐を引き出して永久磁石回転子３２１１’’の回転を駆動することで、固定子コイル３２１０’’の中で電気エネルギーが発生し、振動ユニット３１’’が振動信号に従って音楽が鳴るよう駆動でき、その後、縛り紐が弾性材３２１３’’の駆動を受けて徐々に元の位置に復帰し、復帰過程において永久磁石回転子３２１１’’を固定子コイル３２１０’’に相対的に回転して発電するよう再度駆動させる。よって、１個のバルーンのメモリーに数百曲の歌を保存でき、該バルーンを持った子供が縛り紐を引張って手にあるバルーンから従来のオルゴールのように絶え間なく重複しない数百曲の歌を再生できる。楽しい雰囲気に盛り上がるだけではなく、バルーンから伝達される公告は一般的なバルーンが達成できない強大な効果を奏することができる。
【００２５】
本発明の第４の好ましい実施例は図８に示すように、バルーンホルダー本体３０’’’はバルーンをその中に収容するための収容空間３０１’’’を備えるよう形成され、バルーンホルダー本体３０’’’の縁端箇所に１つの凹みを形成し、利用者自身でここからバルーン本体１を固定又は取り外すことができ、バルーン空気穴を固定するバルーン空気穴固定部３０４’’’としてバルーンを係止する。且つ本実施例内の音源及びイネーブルユニット３２’’’の音源は、統合したシステム・オン・チップ（ＳＯＣ）で、これには電気的に消去可能なＰＲＯＭ（ＥＥＰＲＯＭ）と、電源モジュールと、スイッチモジュールと、音声出力モジュールとを含む。この種の集積回路（ＩＣ）は安価、、低消費電力、小型等の長所があり、該バルーンホルダー本体３０’’’内に設置でき、重覆した録音が不要で且つメモリーの需要量が比較的小さい応用に適し、例えば選挙スローガン、ファーストフードの音楽、製品販促メッセージ、映画宣伝広告或いは玩具の効果音等である。音源及びイネーブルユニット３２’’’のイネーブル機能は１個の水銀電池から音源及び振動ユニット３１’’’が必要とする電源を供給する。
【００２６】
図９を参照にしながら説明する。上記構造を介して、気体を入れて膨らんだバルーン本体１を振動部３００’’’と押付部３０２’’’が共同で形成された収容空間３０１’’’に固設した場合、振動部３００’’’と押付部３０２’’’との間の距離がバルーン本体１の対応する位置の直径よりやや小さいため、圧縮現象が起きる。この場合バルーンホルダー装置にある可撓性復帰部３０５’’’は弾性エネルギーの変化によって作用力を発生してそれぞれバルーンと接触する面積でバルーン内部に力をかける。その他、作用力と反作用力の関係により、バルーンは接触面積部分でも該振動部３００’’’と押付部３０２’’’に対して反力がかかるため、バルーン表面を振動部３００’’’に密着させる。
【００２７】
次に、該バルーンホルダー本体３０’’’の振動部３００’’’と押付部３０２’’’側に設置された振動ユニット３１’’’は音源及びイネーブルユニット３２’’’が供給する電力を受電して活性化し、またその音声信号を受信して対応の振動を提供し、上記振動部３００’’’と押付部３０２’’’の作用を介して、振動ユニット３１’’’がこの振動をバルーン本体１の表面に伝達させてバルーン本体１の薄膜表面を同時振動するよう駆動し、従って空気振動を押動して音声信号を再生する。更に、バルーン本体１が押付部３０２’’’の押し付けを受けて振動ユニット３１’’’に付勢するため、上記シンギングバルーンは音楽を再生できるだけではなく、良好で安定した音声を提供できる。
【００２８】
本発明の第５の好ましい実施例の図１０、図１１に示すように、該バルーンホルダー装置３’’’’も金属ばね３０５０’’’’を取り付けたクランプ構造とすることができる。上記の通り、クランプ両翼にそれぞれ振動ユニット３１’’’’の振動部３００’’’’と対応する押付部３０２’’’’を内蔵し、両者の内部周縁に共同でバルーンホルダーの溝３０６’’’’が形成され、従来のバルーンマウントホルダー２上縁の凸出部にあるフランジ２３を固定するために供する。両者はばね３０５０’’’’を介して連結し、且つ図面の振動部３００’’’’と押付部３０２’’’’がばね３０５０’’’’下方にそれぞれ押圧部３０８’’’’を形成する。
【００２９】
本実施例のバルーンホルダー装置３’’’’は底部に更に挿通孔３０７’’’’が形成され、従来のバルーンマウントホルダー２下方の支持棒２１の挿通に供することができ。このため、保護者は子供のために一般的なバルーン本体１を買ってきた後、支持棒２１を上から下へ挿通孔３０７’’’’を挿通させて振動部３００’’’’と押付部３０２’’’’からそれぞれ下方に向かって延出した押圧部３０８’’’’に力をかけ、振動部３００’’’’と押付部３０２’’’’と相互に離して外側に向かせ、バルーンホルダーが振動部３００’’’’と押付部３０２’’’’に入ってから囲う溝３０６’’’’を利用して従来のバルーンマウントホルダー２上縁の凸出部にあるフランジ２３を挟持する。この場合、ばね３０５０’’’’の弾性作用により、クランプの弾性復帰力で従来のバルーンマウントホルダー２のフランジ２３を挟持させて安定的に溝３０６’’’’の嵌め込みを受けて固定する。
【００３０】
その他、該バルーンホルダー装置３’’’’と従来のバルーンマウントホルダー２がいずれも漏斗状であるため、上方から外れることを阻止する効果があることで、固定結合作用を発揮する。また、振動ユニット３１’’’’が溝３０６’’’’の上方に位置するため、挟持力の作用を受けてバルーン本体１と安定的に接触並びに密着し、バルーン本体１に振動が起きて音楽或いは音声を再生させる。上記をまとめると、本発明は従来のバルーンマウントホルダー２に適用でき、自由に組み立てることができ、必要がある時音声或いは音楽の再生機能を持つもことができる。
【００３１】
本発明の第６の好ましい実施例の図１２に示すように、バルーンホルダー装置の外形に更に視覚的効果を持たせるため、振動部３００’’’’’と押付部３０２’’’’’のバルーン本体１と振動ユニット３１’’’’’を密着させる機能に影響を与えず、且つ音源及びイネーブルユニット３２’’’’’手段を入れるデザインの下で、業者のアピールによって異なる造形、支持棒固定部３０３’’’’’及びバルーン空気穴固定部３０４’’’’’の輪郭線をデザインすることができ、更に宣伝、販促及び娯楽の効果を発揮する。
【００３２】
以上の述べたものは本発明の好ましい実施例のみであって、具体例に限定することで狭義に解釈されるべきものではなく、本発明の特許請求の範囲及び発明の詳細な説明内容に基づいて行われる種々の改良変更をなし得ることは本発明の特許請求の範囲内に含めるものであるのが勿論である。
【符号の説明】
【００３３】
１、１’  バルーン本体
２  従来のバルーンマウントホルダー
２０  従来の支持棒固定部
２１  支持棒
２２  従来のバルーン空気穴固定部
２３  フランジ
３、３’’’’  バルーンホルダー装置
３０、３０’、３０’’、３０’’’  バルーンホルダー本体
３００’’’、３００’’’’、３００’’’’’  振動部
３０１’’’  収容空間
３０２’’’、３０２’’’’、３０２’’’’’  押付部
３０３’’’’’  支持棒固定部
３０４’’’、３０４’’’’’  バルーン空気穴固定部
３０５’’’  可撓性復帰部
３０５０’’’’  ばね
３０６’’’’  溝
３０７’’’’  挿通孔
３０８’’’’  押圧部
３１、３１’、３１’’、３１’’’ 、３１’’’’、３１’’’’’  振動ユニット
３１０、３１０’  筐体
３１１  振動コイル
３１２  振動子
３１３’  圧電素子
３２、３２’、３２’’’、３２’’’’’  音源及びイネーブルユニット
３２０’  バッテリー
３２１’’  超小型発電機
３２１０’’  固定子コイル
３２１１’’  永久磁石回転子
３２１２’’  引張り紐
３２１３’’  弾性材
３２２’  メモリー
３２３’  マイクロプロセッサ
３２４’  ＵＳＢコネクタ
３２５  音源端子
３２６  電源プラグ
３２７’  無線信号受信機
６  電源コンセント
７’  コンピューター
８  ＭＰ３プレーヤー
９  バルーンアーチ
９２  台座
【図１】
2011177505.tif 000003
【図２】
2011177505.tif 000004
【図３】
2011177505.tif 000005
【図４】
2011177505.tif 000006
【図５】
2011177505.tif 000007
【図６】
2011177505.tif 000008
【図７】
2011177505.tif 000009
【図８】
2011177505.tif 000010
【図９】
2011177505.tif 000011
【図１０】
2011177505.tif 000012
【図１１】
2011177505.tif 000013
【図１２】
2011177505.tif 000014